(57)【要約】【課題】ガス状汚染物質（臭気・化学物質）及び粒子状汚染物質（粉塵、微生物粒子、アレルゲン粒子等）を捕捉し、かつ、予め決められた汚染物質の捕捉性能を再生又は回復可能とする。【解決手段】空気清浄装置１に用いられる清浄フィルタ４であって、ガス捕捉部材６と粒子捕捉部材５とを備え、ガス捕捉部材６及び粒子捕捉部材５の少なくとも一方は、予め決められた空気中の汚染物質を捕捉する捕捉材７と、通気性を確保するように空気流通路３に面して捕捉材７を保持する捕捉材保持部材８とを有し、捕捉材保持部材８は、清浄装置本体２から離脱したときに、捕捉材７を保持したまま捕捉材７による汚染物質の捕捉性能を再生する再生処理に供されるもの、あるいは、捕捉材７と、捕捉材保持部材８と、捕捉材７による汚染物質の捕捉性能を回復するように捕捉材保持部材８に対し捕捉材７を供給する捕捉材供給装置１０と、を有するものである。
2011055762.tif 000002
【特許請求の範囲】
【請求項１】
空気清浄装置の清浄装置本体内の空気流通路に設けられ且つ前記空気流通路を通過する空気を清浄する清浄フィルタであって、
ガス状汚染物質を捕捉するガス捕捉部材と、粒子状汚染物質を捕捉する粒子捕捉部材とを備え、
前記ガス捕捉部材及び粒子捕捉部材の少なくとも一方は、
予め決められた空気中の汚染物質を捕捉する捕捉材と、
清浄装置本体に対して着脱自在に装着され、通気性を確保するように空気流通路に面して捕捉材を保持する捕捉材保持部材とを有し、
捕捉材保持部材は、清浄装置本体から離脱したときに、捕捉材を保持したまま捕捉材による汚染物質の捕捉性能を再生する再生処理に供されるものであることを特徴とする清浄フィルタ。
【請求項２】
請求項１記載の清浄フィルタにおいて、
捕捉材保持部材は耐熱性を有し、加熱脱離処理からなる再生処理にて耐熱性を有する捕捉材を再生することを特徴とする清浄フィルタ。
【請求項３】
請求項１又は２記載の清浄フィルタにおいて、
捕捉材保持部材は耐熱性を有し、加熱脱離処理からなる再生処理にて捕捉材保持部材に保持された捕捉材を消失させることを特徴とする清浄フィルタ。
【請求項４】
請求項１ないし３いずれかに記載の清浄フィルタにおいて、
捕捉材保持部材は、通気性を有する外側保持枠と、この外側保持枠内に複数収容され且つ通気性を確保するように固体状の捕捉材を分散充填する整流板とを備えていることを特徴とする清浄フィルタ。
【請求項５】
請求項２又は３記載の清浄フィルタにおいて、
粒子捕捉部材の捕捉材保持部材は耐熱性を有する素材で通気率の異なる複数のメッシュ層を有し、この複数のメッシュ層にて捕捉材としての添加剤を保持することを特徴とする清浄フィルタ。
【請求項６】
請求項１ないし５いずれかに記載の清浄フィルタにおいて、
ガス捕捉部材の捕捉材保持部材は、予め決められたガス状汚染物質を捕捉する捕捉材を保持すると共に、この捕捉材よりも空気流通方向上流側に前記ガス状汚染物質が分解可能な触媒粒子をも保持することを特徴とする清浄フィルタ。
【請求項７】
空気清浄装置の清浄装置本体の空気流通路に設けられ且つ空気流通路を通過する空気を清浄する清浄フィルタであって、
ガス状汚染物質を捕捉するガス捕捉部材と、粒子状汚染物質を捕捉する粒子捕捉部材とを備え、
前記ガス捕捉部材及び粒子捕捉部材の少なくとも一方は、
予め決められた空気中の汚染物質を捕捉する捕捉材と、
通気性を確保するように空気流通路に面して捕捉材を保持する捕捉材保持部材と、
前記捕捉材による汚染物質の捕捉性能を回復するように捕捉材保持部材に対し捕捉材を供給する捕捉材供給装置と、
を有することを特徴とする清浄フィルタ。
【請求項８】
請求項７記載の清浄フィルタにおいて、
捕捉材保持部材は、清浄装置本体に着脱自在に装着され、清浄装置本体から離脱したときに、捕捉材を保持したまま捕捉材による汚染物質の捕捉性能を再生する再生処理に供されるものであることを特徴とする清浄フィルタ。
【請求項９】
請求項７記載の清浄フィルタにおいて、
捕捉材保持部材は耐熱性を有し、加熱脱離処理からなる再生処理に供されることを特徴とする清浄フィルタ。
【請求項１０】
請求項７記載の清浄フィルタにおいて、
捕捉材供給装置は、ガス状汚染物質及び粒子状汚染物質のうち予め決められた汚染物質が捕捉可能な捕捉材を選択的に供給することを特徴とする清浄フィルタ。
【請求項１１】
請求項７記載の清浄フィルタにおいて、
捕捉材供給装置は、液状の捕捉材が噴霧可能な噴霧具を有し、前記捕捉材保持部材に対する予め決められた捕捉材の保持領域全域に当該捕捉材を噴霧するように、前記噴霧具による捕捉材の噴霧条件を設定したものであることを特徴とする清浄フィルタ。
【請求項１２】
請求項７記載の清浄フィルタにおいて、
捕捉材供給装置は捕捉材保持部材に対して着脱自在に装着され、捕捉材供給時に捕捉材保持部材に装着され、捕捉材非供給時には捕捉材保持部材から離脱するものであることを特徴とする清浄フィルタ。
【請求項１３】
請求項１２記載の清浄フィルタのうち捕捉材の保持領域が矩形状に形成された捕捉材保持部材を有する態様において、
捕捉材供給装置は、液状の捕捉材が噴霧可能な噴霧具と、この噴霧具又は噴霧具からの捕捉材の噴霧経路中に設けられて捕捉材の噴霧領域形状を矩形状に規制する噴霧領域規制部材とを有することを特徴とする清浄フィルタ。
【請求項１４】
請求項１２記載の清浄フィルタにおいて、
捕捉材供給装置は、複数種の液状の捕捉材が噴霧可能な噴霧具と、複数種の液状の捕捉材を分離して収容する捕捉材収容容器とを有することを特徴とする清浄フィルタ。
【請求項１５】
空気流通路が形成された清浄装置本体と、
この清浄装置本体の空気流通路に設けられる請求項１ないし１４いずれかに記載の清浄フィルタとを備えたことを特徴とする空気清浄装置。
【請求項１６】
空気流通路が形成された清浄装置本体と、
この清浄装置本体の空気流通路に設けられる請求項６記載の清浄フィルタとを備え、
前記清浄フィルタ又は清浄装置本体には前記触媒粒子が加熱可能な加熱手段を有することを特徴とする空気清浄装置。
【請求項１７】
請求項１５又は１６記載の空気清浄装置と、
この空気清浄装置からの離脱した清浄フィルタを再生処理するフィルタ再生装置とを備え、
再生処理された清浄フィルタを再利用することを特徴とする空気清浄維持システム。
【発明の詳細な説明】
【技術分野】
【０００１】
本発明は、空気清浄装置で用いられる清浄フィルタ及びこれを用いた空気清浄装置並びに空気清浄維持システムに関する。
【背景技術】
【０００２】
従来この種の空気清浄装置としては、フィルターユニットを取り外して清掃可能にするために、本体に対してフィルターユニットの着脱を容易にする技術が既に知られている(例えば特許文献１参照)。
【先行技術文献】
【特許文献】
【０００３】
【特許文献１】特開２００６−２２９７７号公報（発明を実施するための最良の形態、図１）
【発明の概要】
【発明が解決しようとする課題】
【０００４】
本発明は、ガス状汚染物質（臭気・化学物質）及び粒子状汚染物質（粉塵、微生物粒子、アレルゲン粒子等）を捕捉し、かつ、予め決められた汚染物質の捕捉性能を再生又は回復可能とする清浄フィルタ及びこれを用いた空気清浄装置並びに空気清浄維持システムを提供することにある。
【課題を解決するための手段】
【０００５】
請求項１に係る発明は、空気清浄装置の清浄装置本体内の空気流通路に設けられ且つ前記空気流通路を通過する空気を清浄する清浄フィルタであって、ガス状汚染物質を捕捉するガス捕捉部材と、粒子状汚染物質を捕捉する粒子捕捉部材とを備え、前記ガス捕捉部材及び粒子捕捉部材の少なくとも一方は、予め決められた空気中の汚染物質を捕捉する捕捉材と、清浄装置本体に対して着脱自在に装着され、通気性を確保するように空気流通路に面して捕捉材を保持する捕捉材保持部材とを有し、捕捉材保持部材は、清浄装置本体から離脱したときに、捕捉材を保持したまま捕捉材による汚染物質の捕捉性能を再生する再生処理に供されるものであることを特徴とする清浄フィルタである。
請求項２に係る発明は、請求項１に係る清浄フィルタにおいて、捕捉材保持部材は耐熱性を有し、加熱脱離処理からなる再生処理にて耐熱性を有する捕捉材を再生することを特徴とする清浄フィルタである。
請求項３に係る発明は、請求項１又は２に係る清浄フィルタにおいて、捕捉材保持部材は耐熱性を有し、加熱脱離処理からなる再生処理にて捕捉材保持部材に保持された捕捉材を消失させることを特徴とする清浄フィルタである。
請求項４に係る発明は、請求項１ないし３いずれかに係る清浄フィルタにおいて、捕捉材保持部材は、通気性を有する外側保持枠と、この外側保持枠内に複数収容され且つ通気性を確保するように固体状の捕捉材を分散充填する整流板とを備えていることを特徴とする清浄フィルタである。
請求項５に係る発明は、請求項２又は３に係る清浄フィルタにおいて、粒子捕捉部材の捕捉材保持部材は耐熱性を有する素材で通気率の異なる複数のメッシュ層を有し、この複数のメッシュ層にて捕捉材としての添加剤を保持することを特徴とする清浄フィルタである。
請求項６に係る発明は、請求項１ないし５いずれかに係る清浄フィルタにおいて、ガス捕捉部材の捕捉材保持部材は、予め決められたガス状汚染物質を捕捉する捕捉材を保持すると共に、この捕捉材よりも空気流通方向上流側に前記ガス状汚染物質が分解可能な触媒粒子をも保持することを特徴とする清浄フィルタである。【０００６】
請求項７に係る発明は、空気清浄装置の清浄装置本体の空気流通路に設けられ且つ空気流通路を通過する空気を清浄する清浄フィルタであって、ガス状汚染物質を捕捉するガス捕捉部材と、粒子状汚染物質を捕捉する粒子捕捉部材とを備え、前記ガス捕捉部材及び粒子捕捉部材の少なくとも一方は、予め決められた空気中の汚染物質を捕捉する捕捉材と、通気性を確保するように空気流通路に面して捕捉材を保持する捕捉材保持部材と、前記捕捉材による汚染物質の捕捉性能を回復するように捕捉材保持部材に対し捕捉材を供給する捕捉材供給装置と、を有することを特徴とする清浄フィルタである。
請求項８に係る発明は、請求項７に係る清浄フィルタにおいて、捕捉材保持部材は、清浄装置本体に着脱自在に装着され、清浄装置本体から離脱したときに、捕捉材を保持したまま捕捉材による汚染物質の捕捉性能を再生する再生処理に供されるものであることを特徴とする清浄フィルタである。
請求項９に係る発明は、請求項７に係る清浄フィルタにおいて、捕捉材保持部材は耐熱性を有し、加熱脱離処理からなる再生処理に供されることを特徴とする清浄フィルタである。
請求項１０に係る発明は、請求項７に係る清浄フィルタにおいて、捕捉材供給装置は、ガス状汚染物質及び粒子状汚染物質のうち予め決められた汚染物質が捕捉可能な捕捉材を選択的に供給することを特徴とする清浄フィルタである。
請求項１１に係る発明は、請求項７に係る清浄フィルタにおいて、捕捉材供給装置は、液状の捕捉材が噴霧可能な噴霧具を有し、前記捕捉材保持部材に対する予め決められた捕捉材の保持領域全域に当該捕捉材を噴霧するように、前記噴霧具による捕捉材の噴霧条件を設定したものであることを特徴とする清浄フィルタである。
請求項１２に係る発明は、請求項７に係る清浄フィルタにおいて、捕捉材供給装置は捕捉材保持部材に対して着脱自在に装着され、捕捉材供給時に捕捉材保持部材に装着され、捕捉材非供給時には捕捉材保持部材から離脱するものであることを特徴とする清浄フィルタである。
請求項１３に係る発明は、請求項１２に係る清浄フィルタのうち捕捉材の保持領域が矩形状に形成された捕捉材保持部材を有する態様において、捕捉材供給装置は、液状の捕捉材が噴霧可能な噴霧具と、この噴霧具又は噴霧具からの捕捉材の噴霧経路中に設けられて捕捉材の噴霧領域形状を矩形状に規制する噴霧領域規制部材とを有することを特徴とする清浄フィルタである。
請求項１４に係る発明は、請求項１２に係る清浄フィルタにおいて、捕捉材供給装置は、複数種の液状の捕捉材が噴霧可能な噴霧具と、複数種の液状の捕捉材を分離して収容する捕捉材収容容器とを有することを特徴とする清浄フィルタである。【０００７】
請求項１５に係る発明は、空気流通路が形成された清浄装置本体と、この清浄装置本体の空気流通路に設けられる請求項１ないし１４いずれかに係る清浄フィルタとを備えたことを特徴とする空気清浄装置である。
請求項１６に係る発明は、空気流通路が形成された清浄装置本体と、この清浄装置本体の空気流通路に設けられる請求項６に係る清浄フィルタとを備え、前記清浄フィルタ又は清浄装置本体には前記触媒粒子が加熱可能な加熱手段を有することを特徴とする空気清浄装置である。
請求項１７に係る発明は、請求項１５又は１６に係る空気清浄装置と、この空気清浄装置からの離脱した清浄フィルタを再生処理するフィルタ再生装置とを備え、再生処理された清浄フィルタを再利用することを特徴とする空気清浄維持システムである。
【発明の効果】
【０００８】
請求項１に係る発明によれば、ガス状汚染物質及び粒子状汚染物質を捕捉し、かつ、予め決められた汚染物質の捕捉性能を再生することができる。
請求項２に係る発明によれば、再生処理としての加熱脱離処理にて捕捉材そのものを再生することができる。
請求項３に係る発明によれば、再生処理としての加熱離脱処理にて捕捉材保持部材に保持された劣化捕捉材を消失させ、捕捉材保持部材そのものを再生することができる。
請求項４に係る発明によれば、捕捉材保持部材に対し固体状の捕捉材を偏ることなく保持することができる。これにより、通気抵抗を低減させ、汚染物質と捕捉材との接触抵抗を向上させることができる。
請求項５に係る発明によれば、粒子状汚染物質の濾過精度を高く調整でき、かつ、加熱脱離処理からなる再生処理にて捕捉材の消失と共に捕捉された粒子状汚染物質を焼却することができる。
請求項６に係る発明によれば、ガス捕捉部材の構成を工夫することで、ガス状汚染物質を効果的に分解することができ、その分、捕捉材による汚染物質の捕捉量を低減させることができる。
請求項７に係る発明によれば、ガス状汚染物質及び粒子状汚染物質を捕捉し、かつ、予め決められた汚染物質の捕捉性能を回復することができる。
請求項８に係る発明によれば、予め決められた汚染物質の捕捉性能を再生することができる。
請求項９に係る発明によれば、予め決められた汚染物質の捕捉性能を加熱脱離処理にて再生することができる。
請求項１０に係る発明によれば、予め決められた汚染物質を対応する捕捉材にて確実に捕捉することができる。
請求項１１に係る発明によれば、本構成を有さない態様に比べて、捕捉材保持部材に対し液状の捕捉材を略均等に供給することができる。
請求項１２に係る発明によれば、既存の清浄フィルタに対して簡単に捕捉材を供給することができる。
請求項１３に係る発明によれば、本構成を有さない態様に比べて、捕捉材の保持領域が矩形状に形成された捕捉材保持部材に対し液状の捕捉材を無駄なく略均等に供給することができる。
請求項１４に係る発明によれば、既存の清浄フィルタに対して簡単に複数種の液状の捕捉材を供給することができる。
請求項１５に係る発明によれば、ガス状汚染物質及び粒子状汚染物質を捕捉し、かつ、予め決められた汚染物質の捕捉性能を再生又は回復することが可能な空気清浄装置を容易に構築することができる。
請求項１６に係る発明によれば、ガス状汚染物質をより効果的に分解することができ、その分、捕捉材による汚染物質の捕捉量を低減させることができると共に、加熱手段からの熱を暖房などの熱源として有効に利用することができる。
請求項１７に係る発明によれば、ガス状汚染物質及び粒子状汚染物質を捕捉し、かつ、予め決められた汚染物質の捕捉性能を再生することが可能な空気清浄維持システムを容易に構築することができる。
【図面の簡単な説明】
【０００９】
【図１】（ａ）は本発明が適用される空気清浄装置及び空気清浄維持システムの実施の形態の概要を示す説明図、（ｂ）は本発明が適用される空気清浄装置及び空気清浄維持システムの別の実施の形態の概要を示す説明図である。
【図２】実施の形態１に係る空気清浄維持システムを示す説明図である。
【図３】実施の形態１で用いられる空気清浄装置の全体構成を模式的に示す説明図である。
【図４】実施の形態１で用いられる清浄フィルタの詳細を示す説明図である。
【図５】（ａ）は実施の形態１で用いられる清浄フィルタの一つである微生物除去フィルタの構成例を示す説明図、（ｂ）はその断面説明図、（ｃ）は微生物除去フィルタの他の構成例を示す説明図である。
【図６】（ａ）は実施の形態１で用いられる清浄フィルタの一つであるガス除去フィルタの全体構成を示す説明図、（ｂ）はその分解斜視図、（ｃ）は（ｂ）の整流板の構成例を示す説明図である。
【図７】実施の形態１で用いられるフィルタ再生装置の一例である加熱脱離装置の詳細を示す説明図である。
【図８】図７に示す加熱脱離装置とその加熱脱離処理対象である各フィルタとの関係を示す説明図である。
【図９】（ａ）（ｂ）は実施の形態１で用いられる汚染物質分析装置の夫々別の例を示す説明図である。
【図１０】（ａ）は実施の形態１で用いられるフィルタ清浄度検査装置の一例を示す説明図、（ｂ）は検査チェンバ内での検査対象フィルタの汚染物質濃度の時間変化を示す説明図、（ｃ）は検査対象フィルタによる汚染物質発生量を算出する算出式を示す説明図、（ｄ）は予め定められた汚染物質の発生量基準値におけるテーブル例を示す説明図である。
【図１１】（ａ）は実施の形態１で用いられるガス除去フィルタの変形形態を示す説明図、（ｂ）は変形形態に係るガス除去フィルタの作用を示す説明図である。
【図１２】実施の形態２に係る空気清浄装置の要部を示す説明図である。
【図１３】実施の形態３に係る空気清浄装置の要部を示す説明図である。
【図１４】（ａ）（ｂ）は実施の形態３で用いられる添加剤供給装置の変形形態を示す説明図である。
【図１５】（ａ）（ｂ）は実施の形態３で用いられる添加剤供給装置のノズル以外の噴霧具を示す説明図である。
【図１６】実施の形態４に係る空気清浄装置の要部を示す説明図である。
【図１７】（ａ）は実施の形態５に係る空気清浄装置の要部を示す説明図、（ｂ）は（ａ）中Ｂ−Ｂ線で切断した断面説明図である。
【図１８】（ａ）は実施の形態６に係る空気清浄装置の要部を示す説明図、（ｂ）は本実施の形態で用いられる清浄フィルタの性能を回復するための分離型の添加剤供給装置の概要を示す説明図である。
【図１９】（ａ）は実施の形態６で用いられる分離型の添加剤供給装置の構成を示す説明図、（ｂ）は（ａ）中Ｂ−Ｂ線で切断した断面説明図である。
【図２０】実施の形態６で用いられる分離型の添加剤供給装置の使用方法を示す説明図である。
【図２１】（ａ）（ｂ）は実施の形態６で用いられる分離型の添加剤供給装置の変形形態を示す説明図である。
【図２２】（ａ）は便器に利用される実施の形態７に係る空気清浄装置の要部を示す斜視説明図、（ｂ）はその側面説明図である。
【図２３】便器に利用される実施の形態８に係る空気清浄装置の要部を示す説明図である。
【図２４】（ａ）は実施の形態８で用いられる個別カートリッジの選択操作例を示す説明図、（ｂ）は個別カートリッジの切替選択方式の一例を示す説明図である。
【図２５】（ａ）は実施の形態８で用いられる再生カートリッジについての後処理例を示し、（ｂ）は実施の形態８で用いられる個別カートリッジについての後処理例を示す説明図である。
【図２６】実施の形態９に係る空気清浄装置としてのマスクの要部を示す説明図である。
【図２７】（ａ）は実施の形態９に係るマスクで用いられる吸気フィルタ構成例を示す説明図、（ｂ）は実施の形態９に係るマスクで用いられる呼気フィルタ構成例を示す説明図である。
【図２８】（ａ）は実施例１に係る清浄フィルタを用い、化学吸着剤による噴霧実験を行った際のガス状汚染物質としてのホルムアルデヒドの除去率変化を示すグラフ図、（ｂ）は（ａ）の汚染物質除去率の算出式を示す説明図である。
【発明を実施するための形態】
【００１０】
◎実施の形態の概要
図１（ａ）は本発明が適用された空気清浄装置の実施の形態の概要を示す説明図である。
同図において、空気清浄装置１は、空気流通路３が形成された清浄装置本体２と、この清浄装置本体２の空気流通路３に設けられる清浄フィルタ４とを備えたものである。
本実施の形態では、清浄フィルタ４は、空気清浄装置１の清浄装置本体２内の空気流通路３に設けられ且つ前記空気流通路３を通過する空気を清浄する清浄フィルタ４であって、ガス状汚染物質を捕捉するガス捕捉部材６と、粒子状汚染物質を捕捉する粒子捕捉部材５とを備え、前記ガス捕捉部材６及び粒子捕捉部材５の少なくとも一方は、予め決められた空気中の汚染物質を捕捉する捕捉材７と、清浄装置本体２に対して着脱自在に装着され、通気性を確保するように空気流通路３に面して捕捉材７を保持する捕捉材保持部材８とを有し、捕捉材保持部材８は、清浄装置本体２から離脱したときに、捕捉材７を保持したまま捕捉材７による汚染物質の捕捉性能を再生する再生処理に供されるものである。
【００１１】
このような技術的手段において、ガス状汚染物質とはガス状の臭気物質又は化学物質を指す。
また、粒子状汚染物質とは主として微生物粒子やアレルゲン粒子を想定しているが、これ以外の粉塵なども含む。
ここで、微生物粒子とは細菌、真菌、ウィルス等を指し、また、アレルゲン粒子とは花粉、ダニ及びその糞などを指すが、微生物粒子が同時にアレルゲン粒子であることもある。
更に、清浄フィルタ４としては、ガス捕捉部材５及び粒子捕捉部材６の両者を含むものを前提とする。
更にまた、捕捉材７は活性炭、ゼオライト、布フィルタ、金属フィルタ等の固体状の態様に限られず、液体状、粉体状の各種添加剤などをも含む。
ここで、添加剤には、臭気物質、化学物質を除去するための化学吸着剤、添着剤や、微生物の殺菌に対応する殺菌剤、微生物の発生、生育、増殖防止に対応する抗菌剤、制菌剤、更に、アレルゲン粒子に対してはアレルゲンを不活化する薬剤などを含む。
また、捕捉材保持部材８は捕捉材７を保持するものであれば、例えば固体状の態様の捕捉材７を保持する枠状、容器状のものであってもよいし、各種添加剤を含浸あるいは添着保持させる金属繊維や不織布や金属繊維と不織布とを組み合わせた態様など適宜選定して差し支えない。
更に、再生処理とは、捕捉材７による捕捉性能を再生するものであれば広く含み、加熱脱離処理、溶媒洗浄、超臨界洗浄などが挙げられる。
【００１２】
次に、再生処理として加熱脱離処理を対象とする清浄フィルタ４としては以下の態様が挙げられる。
一例としては、捕捉材保持部材８は耐熱性を有し、加熱脱離処理からなる再生処理にて耐熱性を有する捕捉材７を再生するものが挙げられる。これは、加熱脱離処理により捕捉材７を再生する方式で、活性炭等の捕捉材７に捕捉されたガス状汚染物質を脱離したり、金属製フィルタ等の捕捉材７に捕捉された微生物粒子やアレルゲン粒子を焼却するものである。
他の例としては、捕捉材保持部材８は耐熱性を有し、加熱脱離処理からなる再生処理にて捕捉材保持部材８に保持された捕捉材７を消失させるものが挙げられる。これは、加熱脱離処理により劣化した捕捉材（主として添加剤）を消失させ、捕捉材保持部材８そのものを清浄状態に戻す方式である。
【００１３】
また、捕捉材保持部材８の代表的態様としては、通気性を有する外側保持枠と、この外側保持枠内に複数収容され且つ通気性を確保するように固体状の捕捉材７を分散充填する整流板とを備えている態様が挙げられる。本態様は、固体状捕捉材７を保持する上で有効であり、ここでいう整流板の形状としては例えば断面台形波形状のものを用い、ハニカム構造の保持孔部を多数設けるほか、正弦波形状や矩形波形状のものを用い、円状、矩形状の保持孔部を設けるようにしてもよい。
更に、粒子捕捉部材５の捕捉材保持部材８の他の代表的態様としては、耐熱性を有する素材で通気率の異なる複数のメッシュ層を有し、この複数のメッシュ層にて捕捉材７としての添加剤を保持するものが挙げられる。これは、加熱脱離処理からなる再生処理に有効な粒子捕捉部材であり、通気率の異なる複数のメッシュ層としては、金属あるいは不織布などが挙げられる。
【００１４】
更に、ガス捕捉部材６の好ましい態様としては、予め決められたガス状汚染物質を捕捉する捕捉材７を保持すると共に、この捕捉材７よりも空気流通方向上流側に前記ガス状汚染物質が分解可能な触媒粒子をも保持するものが挙げられる。
本態様は、触媒粒子（白金、マンガン等）によりアルデヒド類等のガス状汚染物質を分解する方式であり、ガス状汚染物質を分解すると、大方は無害な水と二酸化炭素とに分解されるが、これ以外の分解生成物に有害物質が含まれる可能性がある。仮に、分解生成物のうち、有害物質が含まれていたとしても、空気流通方向下流側に位置する捕捉材７にて有害物質は捕捉されることから、有害物質が室内空間に放出される懸念はほとんどない。
このようなガス捕捉部材６を備えた空気清浄装置にあっては、清浄フィルタ４又は清浄装置本体２には前記触媒粒子が加熱可能な加熱手段を有することが好ましい。
これは、清浄フィルタ４に触媒粒子を保持した態様を利用し、触媒粒子を加熱するために清浄フィルタ４又は清浄装置本体２のうち触媒粒子の近傍に加熱手段を配設した方式である。
本態様では、触媒粒子の多くは常温よりも高温状態（例えば２００℃以上）で分解反応が効率的に行われる。そこで、清浄フィルタ４の触媒粒子の近傍に加熱手段を配設するようにすれば、この加熱手段の熱により触媒粒子の分解効率が上昇する。このとき、発生する熱は空気清浄装置１として暖房時の熱源として利用することも可能である点で好ましい。
【００１５】
また、空気清浄装置１の実施の形態の概要の他の例を図１（ｂ）に示す。
同図において、空気清浄装置１は、図１（ａ）とは異なる清浄フィルタ４を備えている。
この清浄フィルタ４は、空気清浄装置１の清浄装置本体２の空気流通路３に設けられ且つ空気流通路３を通過する空気を清浄する清浄フィルタ４であって、ガス状汚染物質を捕捉するガス捕捉部材６と、粒子状汚染物質を捕捉する粒子捕捉部材５とを備え、前記ガス捕捉部材６及び粒子捕捉部材５の少なくとも一方は、予め決められた空気中の汚染物質を捕捉する捕捉材７（例えば７ａ，７ｂ）と、通気性を確保するように空気流通路に面して捕捉材を保持する捕捉材保持部材８と、前記捕捉材７による汚染物質の捕捉性能を回復するように捕捉材保持部材８に対し捕捉材７を供給する捕捉材供給装置１０（例えば１０ａ，１０ｂ）と、を有するものである。
本態様では、清浄フィルタ４は再生処理に供されないものも含む。
また、捕捉材７の供給タイミングは定期的に行われることが多いが、不定期的に行うようにしても差し支えない。
【００１６】
本例において、捕捉材保持部材８の代表的態様としては、清浄装置本体２に着脱自在に装着され、清浄装置本体２から離脱したときに、捕捉材７を保持したまま捕捉材７による汚染物質の捕捉性能を再生する再生処理に供されるものが挙げられる。本態様では、再生処理にて清浄フィルタ４の寿命が更に延びる点で好ましい。
特に、加熱脱離処理からなる再生処理に供される態様としては、捕捉材保持部材８は耐熱性を有し、加熱脱離処理からなる再生処理に供されるようにすればよい。
更に、捕捉材供給装置１０の代表的態様としては、ガス状汚染物質及び粒子状汚染物質のうち予め決められた汚染物質が捕捉可能な捕捉材７を選択的に供給するようにすればよい。
ここでいう‘選択的’とは対応する汚染物質毎に個々的に供給することは勿論、予め決められた複数の汚染物質に対応して選択された捕捉材を混合して供給することをも含む。
例えば図１（ｂ）に示す態様を例に挙げて説明すると、粒子捕捉部材５が特定の粒子状汚染物質を捕捉するには、粒子捕捉部材５の捕捉材保持部材８に対し特定の粒子状汚染物質が捕捉可能な捕捉材７（例えば７ａ）を選択的に供給するようにすればよく、また、ガス捕捉部材６が特定のガス状汚染物質を捕捉するには、ガス捕捉部材６に対し特定のガス状汚染物質が捕捉可能な捕捉材７（例えば７ｂ）を選択的に供給するようにすればよい。このとき、ガス捕捉部材６の構成としては捕捉材保持部材８に捕捉材供給装置１０（例えば１０ｂ）から供給される捕捉材７（例えば７ｂ）とは別の捕捉材７（例えば７ｃ：例えば活性炭等）を保持させたものでもよい。
【００１７】
また、捕捉材供給装置１０の好ましい態様としては、液状の捕捉材７が噴霧可能な噴霧具を有し、前記捕捉材保持部材８に対する予め決められた捕捉材７の保持領域全域に当該捕捉材７を噴霧するように、前記噴霧具による捕捉材７の噴霧条件を設定したものが挙げられる。
ここで、噴霧具としては、噴霧ノズルに限らず、気化器等適宜選定することができる。
また、捕捉材７の噴霧条件としては、捕捉材保持部材８に対する予め決められた捕捉材７の保持領域全域に当該捕捉材７を噴霧することが可能になる条件であればよく、例えば噴霧時に空気流通路３を流れる気流を一時停止させたり、噴霧時にノズル状の噴霧具を揺動させたり、あるいは、空気流通路３に流れる気流に向かって捕捉材７を噴霧させ、気流と共に分散させる等適宜選定して差し支えない。
更に、清浄フィルタ４としては、捕捉材供給装置１０を常時装備する態様に限らず、使用時には捕捉材供給装置１０を分離するようにしてもよい。この種の分離型清浄フィルタ４の捕捉材供給装置１０の代表的態様としては、捕捉材保持部材８に対して着脱自在に装着され、捕捉材７供給時に捕捉材保持部材８に装着され、捕捉材７非供給時には捕捉材保持部材８から離脱するものが挙げられる。
ここで、分離型清浄フィルタ４の代表的態様としては、清浄フィルタ４のうち捕捉材７の保持領域が矩形状に形成された捕捉材保持部材８を有する態様において、捕捉材供給装置１０は、液状の捕捉材７が噴霧可能な噴霧具と、この噴霧具又は噴霧具からの捕捉材７の噴霧経路中に設けられて捕捉材７の噴霧領域形状を矩形状に規制する噴霧領域規制部材とを有するものがある。
本態様では、液状の捕捉材７の噴霧領域形状を矩形状に規制することで、捕捉材７の保持領域が矩形状に形成された捕捉材保持部材８に対して捕捉材７の保持領域に合わせて捕捉材７を噴霧することが可能である。
そして、捕捉材７の噴霧経路中に設けられる噴霧領域規制部材は、捕捉材７を無駄なく有効に利用するという観点からすれば、捕捉材保持部材８に対して密着配置されることが好ましく、また、捕捉材保持部材８に保持されなかった捕捉材７は再利用される構成が好ましい。
更に、分離型清浄フィルタ４の他の代表的態様としては、捕捉材供給装置１０は、複数種の液状の捕捉材７が噴霧可能な噴霧具と、複数種の液状の捕捉材７を分離して収容する捕捉材収容容器とを有するものが挙げられる。
【００１８】
また、空気清浄装置１の清浄フィルタ４が再生処理に供される態様にあっては、以下のような空気清浄維持システムが構築され得る。
この空気清浄維持システムは、上述した空気清浄装置１と、この空気清浄装置１からの離脱した清浄フィルタ４を再生処理するフィルタ再生装置１５とを備え、再生処理された清浄フィルタ４を再利用するものである。
ここで、フィルタ再生装置１５には加熱脱離装置以外に薬液洗浄装置、超臨界清浄装置など清浄フィルタ４の汚染物質の捕捉性能を再生するものであれば広く含む。
【００１９】
以下、添付図面に示す実施の形態に基づいて本発明をより詳細に説明する。
◎実施の形態１
−空気清浄維持システムの全体構成−
図２は本発明が適用された空気清浄維持システムの実施の形態１の全体構成を示す。
同図において、空気清浄維持システムは、人Ｍが居住する室内空間Ｒに設置される空気清浄装置２０と、この空気清浄装置２０の一要素である清浄フィルタ４０をフィルタ回収者１００を介して一旦回収し且つ回収した清浄フィルタ４０を再生処理するフィルタ再生装置１１０とを備えている。
−空気清浄装置の概要−
本実施の形態において、空気清浄装置２０は、図３に示すように、空気流通路２２が区画形成される清浄装置本体としてのエアダクト２１を有し、この空気流通路２２には入口開口２３側に空気が吸引される吸引ファン３０を配設し、この吸引ファン３０よりも空気流通方向下流側に清浄フィルタ４０を配設したものである。
尚、本実施の形態では、エアダクト２１内に吸引ファン３０を配設しているが、これに限られず、エアダクト２１の出口側に別体の換気ユニットを配設し、この換気ユニットにてエアダクト２１の空気流通路２２内に空気を引き込むようにしてもよい。
【００２０】
−清浄フィルタ−
本実施の形態において、清浄フィルタ４０は、図３及び図４に示すように、エアダクト２１の空気流通路２２の入口開口２３側から出口開口２４側にかけて順に、プレフィルタ４１、微生物除去フィルタ４２、中性能フィルタ４３、ガス除去フィルタ４４、ＨＥＰＡフィルタ（High Efficiency Particulate Air filter）４５を配設したものである。
本例では、各フィルタ４１〜４５は清浄装置本体としてのエアダクト２１に対していずれも着脱自在に装着されている。
（１）プレフィルタ４１
これは、目の粗いメッシュ状のフィルタで、主として粗い粉塵などを捕捉するものであり、例えば金属メッシュや、金属繊維、炭素繊維などを用いて不織布状に成型したもので構成される。
【００２１】
（２）微生物除去フィルタ４２
これは、主として細菌、真菌、ウィルスなどの微生物粒子を捕捉するものであるが、微生物粒子と同様な花粉やダニ及びその糞などのアレルゲン粒子をも捕捉し得るものである。
そして、本例では、フィルタ再生装置１１０による再生処理の一例として加熱脱離処理を行うことから、捕捉した微生物粒子やアレルゲン粒子を熱を加えて焼却処理するため、耐熱性が求められる構成になっている。
図５（ａ）〜（ｃ）に構成例を示す。
図５（ａ）（ｂ）に示す態様では、微生物除去フィルタ４２は、再生処理としての加熱離脱処理にて再生可能な再生カートリッジとして構成され、通気率の異なる金属メッシュからなる複数のメッシュ層（４２ａ〜４２ｅ）を多段に積層配置したものである。ここでは、目の粗いメッシュ層４２ｄ，４２ｅにて剛性のある支持層を形成し、表面側のメッシュ層４２ａを保護層にすると共に、保護層４２ａと支持層４２ｄ，４２ｅとの間に目の細かいメッシュ層４２ｂ，４２ｃを微生物が通過し難い程度の濾過層として形成するようにしたものである。
また、図５（ｃ）に示す態様では、微生物除去フィルタ４２は、通気率の異なる複数のメッシュ層（４２ａ，４２ｆ，４２ｇ，４２ｄ）を多段に積層配置したものであるが、目の粗い金属メッシュからなるメッシュ層４２ｄにて剛性のある支持層を形成し、表面側の金属メッシュからなるメッシュ層４２ａを保護層にすると共に、保護層４２ａと支持層４２ｄとの間に金属メッシュと不織布とが組み合わされた目の細かいメッシュ層４２ｆ，４２ｇを被生物が通過し難い程度の濾過槽として形成したものである。
尚、耐熱性を有するフィルタ構成としては、金属繊維や炭素繊維を用いて不織布状に成型するものでもよいことは勿論である。
（３）中性能フィルタ４３
これは、プレフィルタ４１よりも目の細かいメッシュ状のフィルタで、主として中程度の大きさの粉塵などを捕捉するものであり、例えば金属メッシュや、金属繊維、炭素繊維などを用いて不織布状に成型したもので構成される。
【００２２】
（４）ガス除去フィルタ４４
これは、臭気・化学物質のガス状汚染物質を除去するフィルタであり、例えば図６に示すように、フィルタ再生装置１１０（図２参照）による再生処理の一例として加熱脱離処理に対応可能な再生カートリッジ構成を備えている。
図６（ａ）（ｂ）において、ガス除去フィルタ４４は耐熱性金属、例えばステンレス製のボックス状の外側保持枠５１を有し、この外側保持枠５１を分割可能な一対の断面コ字状の保持枠部材５１ａ，５１ｂで構成し、夫々の保持枠部材５１ａ，５１ｂの頂部に通気路としての開口を開設すると共に、この開口に金属メッシュ５２を設け、夫々の保持枠部材５１ａ，５１ｂの周壁には適宜数の取付孔５３を開設すると共に、ネジ等の取付具５４にて両保持枠部材５１ａ，５１ｂを固定するようにしたものである。
そして、図６（ｂ）に示すように、この外側保持枠５１内には複数の整流板５５を配列し、整流板５５相互間に多数の保持孔部５６を形成するようにしたものである。
本例では、整流板５５は、例えば図６（ｃ）に示すように、耐熱性金属、例えばステンレス製の板材を断面台形状部５５ａ，５５ｂが波形状に連なるように型成型し、複数の整流板５５を配列することにより、ハニカム構造の保持孔部５６を確保するようにしたものである。
この整流板５５は、外側保持枠５１の厚さ寸法に略対応した幅寸法を持ち、外側保持枠５１の金属メッシュ５２間に前記保持孔部５６が貫通するように配列される。
そして、複数の整流板５５にて区画された保持孔部５６には例えば臭気物質を吸着する活性炭、ゼオライト、セラミックスなどの吸着材５７が収容保持されている。
このような吸着材５７は整流板５５にて区画された保持孔部５６に分散して充填されることから、ガス除去フィルタ４４を縦方向に配置したとしても、外側保持枠５１内で吸着材５７が偏って配置されることはない。
更に、本実施の形態では、ガス除去フィルタ４４の外側保持枠５１の開口縁部の一部にはオーナー番号（ガス除去フィルタ４４の所有者を示す番号）が刻印されたオーナー表示部５９が設けられている。
（５）ＨＥＰＡフィルタ４５
これは、中性能フィルタ４３よりも更に目の細かいメッシュ状のフィルタで、例えばガス除去フィルタ４４で用いられる活性炭の微小粉体などを捕捉するものであり、例えば金属メッシュや、金属繊維、炭素繊維などを用いて不織布状に成型したもので構成される。
【００２３】
−添加剤供給装置−
本実施の形態において、清浄フィルタ４０は、例えば微生物除去フィルタ４２及びガス除去フィルタ４４に対して除去対象となる微生物粒子やＶＯＣ（Volatile Organic Compoundsの略）などのガス状汚染物質に対応する添加剤が供給可能な添加剤供給装置７０を備えている。
この添加剤供給装置７０は、図３及び図４に示すように、臭気物質、化学物質の除去に対応する添加剤（例えばアンモニアに対応する添加剤Ｓａ、メチルメルカプタンに対応する添加剤Ｓｍ、あるいは、これらを含む複数の臭気・化学物質に対応する混合添加剤Ｓｘなど）と、微生物の除去に対応する添加剤Ｓｗ（例えば微生物の殺菌に対応する殺菌剤、微生物の増殖防止に対応する抗菌剤など）とを有している。
そして、これらの添加剤は例えば夫々対応する添加剤ボトル７１，７２に分注され、各添加剤ボトル７１，７２から添加剤を図示外のポンプにて一定量吸い上げ、定期的に噴霧される。
図３において、添加剤供給装置７０ａは例えば微生物の除去に対応する添加剤Ｓｗを供給する要素であり、添加剤供給装置７０ｂは例えば添加剤Ｓｘを供給する要素を示す。
そして、制御装置８０は、添加剤供給装置７０ａ内の添加剤Ｓｗを開閉弁７３による開閉に応じて微生物除去フィルタ４２に定期的に定量供給し、また、添加剤供給装置７０ｂ内の添加剤Ｓｘを開閉弁７４による開閉に応じてガス除去フィルタ４４に定期的に定量供給するように夫々の開閉弁７３，７４を開閉制御するようになっている。尚、開閉弁７３，７４の開閉制御としては、単に開閉するだけでもよいし、あるいは、開度を調整するようにしてもよいことは勿論である。
【００２４】
−清浄フィルタの作用−
例えば図４に示すように、空気中の汚染物質として、粉塵Ａ、花粉Ｂ、真菌Ｃ、細菌Ｄ、ウィルスＥ、化学物質Ｆ、臭気物質Ｇが存在する場合を想定すると、粉塵Ａは主としてプレフィルタ４１、中性能フィルタ４３、ＨＥＰＡフィルタ４５にて捕捉され、真菌Ｃ、細菌Ｄ、ウィルスＥは主として微生物除去フィルタ４２にて捕捉され、更に、化学物質Ｆ、臭気物質Ｇは主としてガス除去フィルタ４４にて捕捉される。尚、花粉Ｂは微生物除去フィルタ４２や中性能フィルタ４３にて捕捉される。
このとき、本実施の形態では、微生物除去フィルタ４２及びガス除去フィルタ４４には対応する添加剤Ｓが定期的に噴霧されることから、臭気物質、化学物質、微生物の除去性能が定期的に回復する。
尚、本実施の形態では、微生物除去フィルタ４２及びガス除去フィルタ４４に添加剤Ｓを噴霧するようにしているが、これに限られるものではなく、必要に応じて中性能フィルタ４３等の粉塵除去フィルタにも添加剤Ｓを噴霧するようにしてもよい。
【００２５】
また、本実施の形態では、空気清浄装置２０の設置空間の汚染状態に応じたフィルタ構成とすることができる。すなわち、従来のガス除去、粉塵除去フィルタは、一般的な汚染状態を想定し、一般的な汚染物質に有効な添着剤など添加したものである。
これに対し、本実施の形態では、空気清浄機設置室の汚染物質の種類や物理・化学的特性により、添加剤を選定することが可能である。
例えば、真菌（カビ）や細菌が主たる汚染物質の空間では、その菌種に有効な殺菌、抗菌、制菌剤を微生物除去フィルタ４２や中性能フィルタ４３等の粉塵除去フィルタ等に噴霧するようにすればよい。また、アンモニアが主たる汚染物質の空間では、アンモニア対応した添加剤Ｓａを噴霧するようにすればよい。更に、多くの空間では除去すべき汚染物質が、ホルムアルデヒド、メチルメルカプタン、硫化水素など複数になるような場合には、それぞれの汚染物質に対応する添加剤Ｓｆ、Ｓｍ、Ｓｓをそれぞれの添加剤ボトルから、あるいは、混合して添加するようにすればよい。
尚、花粉などのアレルゲン粒子が多い空間では、アレルゲン粒子を不活化する薬剤を添加剤として例えば微生物除去フィルタ４２に供給するようにすればよい。また、たばこ臭、焼き肉臭、ペット臭などの臭気物質の多い空間では、これらの臭気物質に対応した添加剤を供給するようにしてもよい。
また、本実施の形態では、微生物除去フィルタ４２には殺菌剤、抗菌剤、制菌剤などの添加剤が噴霧、含浸されるため、これらによって変質しないことが好ましく、また、これらの添加剤が吸引ファン３０の気流によって揮発し難いことが好ましい。仮に、添加剤が揮発、運搬されたとしても、空気流通路２２の下流側にガス除去フィルタ４４が設置されているため、添加剤が室内に不必要に拡散するという事態は有効に回避される。
【００２６】
−フィルタ再生装置−
本実施の形態では、微生物除去フィルタ４２やガス除去フィルタ４４には添加剤が定期的に供給されているが、これらのフィルタを長期に亘って使用すると、添加剤の総量が多くなり過ぎ、性能の回復性に悪影響が生ずる懸念がある。
そこで、本実施の形態では、図２に示すように、フィルタ回収者１００が対応するフィルタを一旦回収し、これらのフィルタを再生するためにフィルタ再生装置１１０による再生処理が行われるようになっている。
ここで、フィルタ再生装置１１０としては、例えば加熱脱離装置１１１と、薬液洗浄装置１１２とが挙げられる。
【００２７】
（１）加熱脱離装置１１１
これは、微生物除去フィルタ４２及びガス除去フィルタ４４が再生カートリッジとして構成されていることから、これらのフィルタを加熱脱離処理するものである。
本例では、加熱脱離装置１１１は、図７及び図８に示すように、複数に分割形成された耐熱チェンバ１２１，１２２からなる耐熱ケーシング１２０を有し、この耐熱ケーシング１２０の一方の耐熱チェンバ１２１にフィルタ収容部１２３（具体的には微生物除去フィルタ４２に対応した部分１３１及びガス除去フィルタ４４に対応した部分１３２）を設け、このフィルタ収容部１２３には排気口１２５を開設すると共に、フィルタ収容部１２３に対応した部位にはヒータ１２６，１２７を設け、温度制御器１２８にて前記ヒータ１２６，１２７を所定の温度（例えば２００℃〜５００℃程度）に加熱するようになっている。
尚、符号１２４は耐熱性接続ダクト、符号１２９はフィルタ収容部１２３でのフィルタ保持壁、符号１３３，１３４は夫々の微生物除去フィルタ４２，ガス除去フィルタ４４をフィルタ収容部１２３に収容したときに内部を目視するためのメンテナンス口である。
本実施の形態によれば、微生物除去フィルタ４２に捕集された汚染物質が焼却されると共に、添加された添加剤が脱離除去される。この結果、微生物除去フィルタ４２は清浄状態に再生される。
また、ガス除去フィルタ４４の吸着材５７に捕捉された汚染物質と添加剤とが脱離除去され、吸着材５７の吸着性能が再生される。
特に、本例では、ヒータ１２６，１２７の加熱温度としては３００℃〜３５０℃程度で、微生物除去フィルタ４２、ガス除去フィルタ４４は効果的に再生される。
（２）薬液洗浄装置１１２
本実施の形態では、薬液洗浄装置１１２は所定の薬液にて中性能フィルタ４３等の粉塵除去フィルタの汚れを洗浄することが可能である。
【００２８】
−汚染物質分析装置１６０−
本実施の形態では、加熱脱離装置１１１又は薬液洗浄装置１１２による再生処理に当たって、各フィルタ４２，４４から除去される汚染物質を分析することが可能であり、回収した洗浄フィルタ４０の設置空間の汚染物質状況を分析することが可能である。
ここで、汚染物質分析装置１６０（図２参照）としては、ガスクロマトグラフ、ガスクロマトグラフ質量分析器、高速液クロマトグラフ、イオンクロマトグラフなどが採用され、捕集部材にて捕集されたガスが分析される。
また、捕集部材としては、例えば図９（ａ）に示すように、ＶＯＣのうちＨＣＨＯを捕集するＨＣＨＯ捕集管１６５や、これ以外のＶＯＣを捕集する捕集管１６６が用いられる。本例では、ＨＣＨＯ捕集管１６５としては、ＤＮＰＨ（２，４ジニトロフェニルヒドラジン）を捕集剤としたものが用いられ、また、他の捕集管１６６としては炭素系捕集剤やＴｅｎａｘ  ＴＡが用いられる。
また、汚染物質分析装置１６０は、前記捕集管１６５，１６６にて捕集されたＶＯＣを、ポンプ１７１，１７２を介してフローメータ１７３，１７４及びガスメータ１７５，１７６に送り、定性、定量分析するものである。
尚、捕集部材の別の態様としては、例えば図９（ｂ）に示すように、例えばインピンジャーからなる捕集管１６７を利用し、ポンプ１７７を介してガスメータ１７８に送り、定性分析するようにしてもよい。
【００２９】
−フィルタ清浄度検査装置−
本実施の形態では、フィルタ再生装置１１０により再生された洗浄フィルタ４０につきフィルタ清浄度検査装置２００（図２参照）にて清浄フィルタ４０の清浄度を検査することが可能である。
図１０（ａ）において、フィルタ清浄度検査装置２００は、清浄空気が供給口２０２から供給され且つ排出口２０３から排出されると共に拡散ファン２０５で拡散される検査用チェンバ２０１と、この検査用チェンバ２０１内に設けられ且つ検査対象である清浄フィルタ４０の要素であるガス除去フィルタ４４（４２）を着脱自在に保持する図示外の保持機構と、この保持機構に保持されたフィルタ４４（４２）に対し検査用チェンバ２０１内の空気を通過させるファンユニット２１０と、前記フィルタ４４（４２）を通過したファンユニット２１０による空気流の下流側に設けられ、フィルタ４４（４２）の清浄度に影響する汚染成分を検出する検出器２２０とを備えたものである。
本例では、検出器２２０の出力により、フィルタ４４（４２）の清浄度が短時間で判定される。
つまり、図１０（ｂ）に示すように、検査用チェンバ２０１内の汚染物質濃度は時間と共に変化する。
このとき、図１０（ｃ）に示す算出式にて汚染物質の発生量を求めることができる。
図１０（ｃ）において、パラメータは以下の通りである。
ｍ＝Ｑ＋αＲ
α：検査用チェンバへの対象汚染物質の吸着率（１／ｈ）
Ｒ：チェンバ気積（ｍ３）
Ｑ：チェンバ換気量（ｍ３／ｈ）
Ｃ：ある任意時間ｔにおけるチェンバ内対象汚染物質濃度（μｇ／ｍ３）
ｔ：時間
Ｃ０：チェンバ供給空気中の対象汚染物質濃度
Ｃ１：実験開始時のチェンバ内の対象汚染物質濃度
Ｍ：汚染物質発生量（μｇ／ｈ)
このようにして計算した計算値と図１０（ｄ）に示す発生量基準値との関係から、検査対象のフィルタの汚染物質発生量Ｍがどのレベルにあるかが求められる。
この結果、汚染物質発生量Ｍが許容値以下であればＯＫ、許容値を超えた場合にはＮＧと判定する。
ＯＫの場合には、対象フィルタの清浄度が十分であると判定し、そのままユーザに納品される。一方、ＮＧの場合には、対象フィルタの清浄度が不十分であるものと判定し、再度フィルタ再生装置１１０による再生処理を経た後でフィルタ清浄度検査を再び行うようにすればよい。
【００３０】
◎変形の形態
図１１は実施の形態１で用いられるガス除去フィルタ４４の変形形態を示す。
同図（ａ）において、ガス除去フィルタ４４は外側保持枠５１内に活性炭などの吸着材５７を保持すると共に、この吸着材５７の空気流通方向上流側にガス状汚染物質が分解可能な触媒粒子６０をも保持するものである。尚、符号５８は外側保持枠５１内の空間を通気性を確保した状態で仕切る仕切板である。
本態様では、図１１（ｂ）に示すように、Ｉの領域の触媒粒子６０（白金、マンガン等）によりアルデヒド類等のガス状汚染物質ＧＡが分解され、大方は無害な水ＧＢと二酸化炭素ＧＣとになるが、これ以外の分解生成物ＧＤに有害物質が含まれる可能性がある。仮に、分解生成物ＧＤのうち、有害物質が含まれていたとしても、空気流通方向下流側に位置するＩＩの領域の吸着材５７にて有害物質は捕捉されることから、有害物質が室内空間に放出される懸念はほとんどない。
また、本実施の形態では、ガス除去フィルタ４４の外側保持枠５１内にヒータ６１（図１１（ａ）参照）が設けられ、このヒータ６１が加熱電源６２にて例えば２００℃以上に加熱されるようになっている。
本態様では、触媒粒子６０の多くは常温よりも高温状態（例えば２００℃以上）で分解反応が効率的に行われるため、ヒータ６１の熱により触媒粒子６０の分解効率が上昇する。このとき、発生する熱は空気清浄装置２０として暖房時の熱源として利用される。
【００３１】
◎実施の形態２
図１２は実施の形態２に係る空気清浄装置の清浄フィルタ４０の要部を示す。
本実施の形態において、清浄フィルタ４０は、実施の形態１と略同様のフィルタ要素を有しており、例えばガス除去フィルタ４４に対し添加剤供給装置７０を付設した構成になっている。
本例では、添加剤供給装置７０は、臭気物質、化学物質を除去する添加剤Ｓが貯蔵される添加剤供給タンク７０１を配設する一方、ガス除去フィルタ４４の上部には複数のノズル部がガス除去フィルタ４４の上縁長さ方向に沿って略均等に配列される均等配分ノズル７０２を配設し、前記添加剤供給タンク７０１と均等配分ノズル７０２との間を供給配管７０３を介して連通接続すると共に、この供給配管７０３の途中にはポンプ７０４及び流量調整弁７０５を介在させたものである。尚、本例の添加剤Ｓとしては、例えば対象汚染物質がホルムアルデヒドの場合には、ホルムアルデヒドキャッチャー剤が用いられ、ホルムアルデヒドとＶＯＣとの混合ガスの場合には、グラフト重合薬剤が用いられる。また、図１２中、符号７０６は添加剤供給タンク７０１の供給口、７０７はドレン配管である。
更に、本例では、ガス除去フィルタ４４内には浸透した添加剤Ｓの濃度検知用の濃度センサ７１０が適宜数設置されており、この濃度センサ７１０からの情報が流量制御装置７１１に入力されるようになっている。この流量制御装置７１１は流量調整弁７０５の開度を調整することにより薬液（添加剤）注入量を制御するものであり、前記濃度センサ７１０からのセンサ出力をフィードバック信号として運転され、ガス除去フィルタ４４のフィルタ基材での薬液濃度が一定値になるように薬液注入量を制御する濃度調整モードを持つ。
また、本例では、流量制御装置７１１は、前記方式とは別に、タイマーにてある一定期間毎に薬液を供給する定期供給モードを併せ持つ。
更にまた、本実施の形態において、清浄フィルタ４０は添加剤Ｓの廃液が排出可能な排出装置７１２を有しており、この排出装置７１２はガス除去フィルタ４４の下部に廃液タンク７１３をドレン配管７１４を介して連通接続したもので、余剰の添加剤Ｓを廃液タンク７１３に排出するように構成したものである。
また、本実施の形態では、ガス除去フィルタ４４の通風面にはフィルタ加熱装置７１５が設けられている。このフィルタ加熱装置７１５は例えばガス除去フィルタ４４の通風面の略全域に亘ってクロス状に配列されるヒータ線にて構成されており、例えば加熱制御装置７１６からの制御信号に基づいて定期的に加熱され、ガス除去フィルタ４４のフィルタ基材内に蓄積される添加剤反応物を定期的に除去する。この場合、除去される添加剤反応物が室内を汚染しないように、例えば活性炭のような物理吸着材を配置するようにしたり、図示外の排気ダクトを通じて外部に放出するようにすればよい。尚、フィルタ加熱装置７１５に代えて予定される反応生成物を化学的に処理する方式を採用しても差し支えない。
【００３２】
従って、本実施の形態に係る空気清浄装置によれば、汚染された清浄対象空気は図示外の吸引ファンにより空気流通路内に取り込まれる。このとき、清浄対象空気の塵埃等の粒子のうち大きな粒子は図示外のプレフィルタで除去され、次いで、プレフィルタを通過した細かな粒子が微生物除去フィルタ、中性能フィルタにて除去され、更に、ホルムアルデヒド等のガス状化学物質がガス除去フィルタ４４にて除去され、最後に、ガス除去フィルタ４４からの生成物などがＨＥＰＡフィルタにて除去される。
特に、本実施の形態に係る清浄フィルタ４０によれば、ガス除去フィルタ４４のフィルタ基材には液状の添加剤（液剤）Ｓが必要に応じて補充供給され、かつ、均等配分ノズル７０２により略均等に配分されるようになっているため、ガス除去フィルタ４４のフィルタ基材は長期に亘って液剤Ｓの浸透度合が略均一な状態に保たれることになり、その分、ガス除去フィルタ４４によるガス除去性能は長期に亘って安定的に維持される。このとき、ガス除去フィルタ４４に液剤Ｓが常時供給され続ける必要はないため、液剤Ｓが不必要に消費される懸念はない。
尚、本実施の形態では、ガス除去フィルタ４４の途中に濃度センサ７１０を配設し、ガス除去フィルタ４４のフィルタ基材に浸透する液状の添加剤（液剤）Ｓの濃度を検出するようにしているが、ガス除去フィルタ４４ のフィルタ基材の下端部近傍に含浸センサを配設し、この含浸センサからの信号に基づいてフィルタ基材への液剤Ｓの含浸状態を検出し、この含浸センサからの信号に応じて流量調整弁７０５を制御するようにしても差し支えない。また、本実施の形態では、ガス除去フィルタ４４は単一列のフィルタ基材にて構成されているが、これに限られるものではなく、例えば複数列のフィルタ基材を用い、フィルタ基材との通風接触面積を増加させるようにしてもよいし、あるいは、フィルタ基材に蛇腹状の折り畳み部を設け、フィルタ基材の実質的な通風接触面積を増加させるようにしてもよい。
【００３３】
◎実施の形態３
図１３は実施の形態３に係る空気清浄装置の清浄フィルタ４０の要部を示す。
同図において、清浄フィルタ４０は、例えば微生物除去フィルタ４２（又は中性能フィルタ４３）の空気流通方向上流側に例えば不織布４６を設け、この不織布４６に対して例えば抗菌剤からなる添加剤（薬液）Ｓｋが供給可能な添加剤供給装置７０から噴霧ノズル７５を介して前記不織布４６に定期的に定量噴霧されるようになっている。
尚、実施の形態１と同様な構成要素については実施の形態１と同様な符号を付してここではその詳細を省略する。
本例によれば、インフルエンザウィルスなどのウィルスに対応する抗菌剤を添加剤Ｓｋとして供給するようにすれば、ウィルスによる感染などを有効に阻止することが可能である。
本例では、不織布４６を別途設けたが、微生物除去フィルタ４２（又は中性能フィルタ４３）に直接噴霧するようにしてもよい。
【００３４】
また、本実施の形態では、清浄フィルタ４０面に対する添加剤（薬液）Ｓｋの噴霧はフィルタ面全面に対し均等に行われる必要がある。このとき、噴霧ノズル７５にて添加剤Ｓｋの噴霧角度を固定的に設定した態様では、空気清浄装置の吸引ファン３０の気流によって添加剤Ｓｋの噴霧範囲が制約されてしまうことが起こり得る。
このため、本実施の形態では、制御装置８０にて開閉弁７３の開閉動作と、吸引ファン３０の作動とを連動させ、例えば噴霧ノズル７５による添加剤Ｓｋの噴霧動作時には、吸引ファン３０を一時停止させる方式が採用されている。
この噴霧ノズル７５による添加剤Ｓｋの噴霧動作については、上述した方式に限られるものではなく、例えば図１４（ａ）に示すように、揺動機構７６にて噴霧ノズル７５を揺動させながら、添加剤Ｓｋを広範囲に亘って噴霧させるようにしたり、あるいは、図１４（ｂ）に示すように、吸引ファン３０による気流に向かって噴霧ノズル７５から液状の添加剤Ｓｋを噴霧し、気流と噴霧状態の添加剤Ｓｋとの衝突により添加剤Ｓｋを分散させる等適宜選定して差し支えない。
更に、本実施の形態では、添加剤供給装置７０は、噴霧具として噴霧ノズル７５を採用しているが、液状の添加剤Ｓｋを噴霧するものであればこれに限られるものではなく、超音波霧化法を利用した態様や、加熱気化法を利用した態様や、回転霧化法を利用した態様などが挙げられる。
例えば超音波霧化法を利用した態様としては、図１５（ａ）に示すように、一対のＳＡＷ（Surface Acoustic Wave）素子７２１，７２２を、各ＳＡＷ素子７２１，７２２のＩＤＴ（Interdigital Transducer）７２３，７２４が設けられている面同士が向き合うように対向配置し、例えば一方のＳＡＷ素子７２１の通孔７２５からＳＡＷ素子７２１，７２２間の流路７２６に液状の添加剤Ｓｋを供給し、ＳＡＷ素子７２１，７２２からの超音波を添加剤Ｓｋ中に放射し、液状の添加剤Ｓｋを噴霧状に飛翔させるようにしたものが挙げられる。
また、加熱気化法を利用した態様としては、例えば図１５（ｂ）に示すように、気化容器７３０内に支持台７３１を設置すると共にこの支持台７３１上に気化皿７３２を配設し、支持台７３１には気化皿７３２の直下に対応して例えば面状ヒータ７３３を配設すると共に、気化皿７３２の温度を検出するための温度センサ７３４を設け、温度センサ７３４からの温度情報に基づいて制御装置８０にて面状ヒータ７３３を加熱制御するようになっている。
ここで、気化皿７３２としては熱伝導性の良い耐食性材料（例えばステンレス、ガラスを始めとする各種セラミックスなど）が用いられる。また、制御装置８０は、滴下される液状の添加剤Ｓｋの種類に応じて面状ヒータ７３３の目標温度を可変設定するものであり、ヒータ７３３の目標温度としては、面状ヒータ７３３にて加熱された気化皿７３２の温度が滴下される液状の添加剤Ｓｋの気化温度以上になるように選定されている。
本態様では、気化した添加剤Ｓｋは気化容器７３０の開口７３５を通じて清浄フィルタ４０のフィルタ面に噴霧される。
尚、気化皿７３２の構成については、例えば支持台７３１上に固定的に設けているが、これに限られるものではなく、支持台７３１に可動テーブルを設けて振動等させ、添加剤Ｓｋの気化をより促進させるようにしてもよい。
【００３５】
また、空気中に浮遊するダニ、カビなどのアレルゲン粒子は鼻炎、喘息などを引き起こし、除去されねばならない汚染物質である。アレルゲン粒子はタンパク質でできているが、無数にあるタンパク質の中で、あるタンパク質にしか結合しない抗体が存在する。このような抗体の性質を用いて、特定のアレルゲン粒子を認識する抗体を用いた免疫学的測定法、いわゆる、ＥＬＩＳＡ（Enzyme-linked Immunorsorbent assay）法が既に実用化されている。
この着想を利用し、例えば微生物除去フィルタ４２にある抗体を含ませた清浄フィルタ４０を空気清浄装置に用いるようにすれば、ある特定のタンパク質すなわちアレルゲン粒子を効果的にかつ選択的に捕獲することが可能である。また、この性質をアレルゲン粒子センサとして用いるようにすれば、室内空気中のアレルゲン粒子濃度をモニタすることが可能である。
具体的には、抗体をある一定量不織布等で構成された微生物除去フィルタ４２に塗布すると、この微生物除去フィルタ４２の粒子除去力と抗体のタンパク質結合力とが相まって、室内空気中のダニ及びダニの糞は効率良く除去される。すなわち、ある種の抗体を微生物除去フィルタ４２に塗布することにより、微生物除去フィルタ４２におけるある種のアレルゲン粒子の除去率が向上する。在来、集塵効率を向上させるには目の細かいフィルタを採用していたが、このような構成の場合には、フィルタの圧力損失が増大する懸念があるが、本例では、微生物除去フィルタ４２のフィルタの目を細かくしなくても、アレルゲン粒子と反応する抗体を塗布することで、アレルゲン粒子の捕捉性能を確保できるため、フィルタの圧力損失が増大する懸念は少ない。
また、既往の空気清浄装置には「粉塵センサ」、「花粉センサ」が搭載されているものがあるが、粉塵、花粉の識別は測定粒子の粒径で行っており、識別性に不確かな問題が見られるが、本例ではこの問題は解決可能である。具体的には、抗体に付着するタンパク質の重量を測定する方法としては、超音波振動を利用したＳＡＷ法などで測定し、あるいは、付着タンパク質に通電し、通過電流の大小から付着量を特定する方法が挙げられる。
【００３６】
◎実施の形態４
図１６は実施の形態４に係る空気清浄装置２０の清浄フィルタ４０の要部を示す。
同図において、清浄フィルタ４０の基本的構成は実施の形態１と略同様であるが、実施の形態１と異なり、ガス除去フィルタ４４の吸着材５７を定期的に補給・廃棄するようにしたものである。
同図において、符号９０は吸着材補給ボトル、９１は吸着材補給ボトル９０に対する開閉弁、９２は吸着材廃棄ボトル、９３は吸着材廃棄ボトル９２に対する開閉弁であり、制御装置８０が定期的な開閉弁９１，９３を開閉制御し、吸着材５７の補給、廃棄を実現したものである。
本例では、ガス除去フィルタ４４の吸着材５７が適宜交換されることから、ガス除去フィルタ４４の寿命がより延びる。
【００３７】
◎実施の形態５
図１７（ａ）（ｂ）は実施の形態５に係る清浄フィルタ４０の要部を示す。
同図において、清浄フィルタ４０は耐熱性の外側保持枠１５１の両側に開口を設け、この開口には例えば微生物粒子等の粒子状汚染物質が捕捉可能な例えば耐熱性のフィルタ要素１５２，１５３を設けると共に、その外側保持枠１５１の内部にガス状汚染物質を捕捉可能な吸着材５７を複数の整流板５５を利用することで分散充填するようにしたものである。
本例では、一つのフィルタユニットにてガス状汚染物質及び粒子状汚染物質の両方を捕捉することが可能である。
【００３８】
◎実施の形態６
図１８（ａ）（ｂ）は実施の形態６に係る空気清浄装置の要部を示す。
図１８（ａ）において、空気清浄装置２０は、空気流通路２２が区画形成される清浄装置本体としてのエアダクト２１を有し、このエアダクト２１内に吸引ファン３０及び清浄フィルタ４０を配設したものである。
そして、本実施の形態では、清浄フィルタ４０は、図１８（ｂ）に示すように、エアダクト２１から着脱自在に設けられ、エアダクト２１から離脱した後に、空気清浄装置２０とは別ユニットとして設けられた分離型の添加剤供給装置７０にて添加剤Ｓが供給されるようになっている。
ここで、本例では、清浄フィルタ４０は、粒子除去フィルタ要素とガス除去フィルタ要素とを含む構成になっている。
本実施の形態において、分離型の添加剤供給装置７０は、図１８（ｂ）及び図１９（ａ）（ｂ）に示すように、予め決められた添加剤Ｓが収容される添加剤ボトル７５０と、この添加剤ボトル７５０内の添加剤Ｓを清浄フィルタ４０面に対し略矩形状に噴霧する噴霧領域規制フード７６０とを備えている。
本例では、噴霧領域規制フード７６０は、貫通した矩形枠部７６２の一端側に中空状の四角錐枠部７６３が形成されたフード本体７６１を有し、このフード本体７６１の四角錐枠部７６３の中央に噴霧ノズル７６４を設けると共に、この噴霧ノズル７６４には取り外し可能なチューブコネクタ７６５を介して添加剤ボトル７５０に連通するチューブ７６６と接続したものである。そして、フード本体７６１の矩形枠部７６２の開口縁には気密性を維持するパッキン７６７が設けられると共に、フード本体７６１の矩形枠部７６２の下部には清浄フィルタ４０に噴霧されなかった余分な液状の添加剤Ｓを回収する添加剤回収ビット７６８を設けたものである。尚、符号７６９は噴霧領域規制フード７６０に開設された通気孔であり、例えば空気清浄装置２０の吸引ファン３０などを利用し、添加剤Ｓの噴霧処理時に気流を流入することで添加剤Ｓの噴霧処理をより促進させる上で有効である。
【００３９】
本実施の形態では、清浄フィルタ４０に添加剤Ｓが十分に保持されていない場合には、エアダクト２１から清浄フィルタ４０を離脱し、分離型の添加剤供給装置７０にて添加剤Ｓを供給するようにすればよい。
本例では、今、添加剤ボトル７５０が例えば３つ（７５０ａ〜７５０ｃ）あり、添加剤ボトル７５０ａには酸性ガス用添加剤Ｓａが、添加剤ボトル７５０ｂには塩基性ガス用添加剤Ｓｂが、添加剤ボトル７５０ｃには微生物対応用添加剤Ｓｃが収容されている。
また、清浄フィルタ４０は例えばフィルタ面の左右半面の一方が酸性ガス処理面Ｘで、他方が塩基性ガス処理面Ｙであり、フィルタ面全域に微生物対応用添加剤Ｓｃが塗布されるようになっている。
そして、本例では、噴霧領域規制フード７６０の開口（矩形枠部７６２の開口に相当）は清浄フィルタ４０のフィルタ面の約１／４の大きさの矩形状に形成されている。
次に、分離型の添加剤供給装置７０の使用方法について図２０に基づいて説明する。
先ず、第１の添加剤ボトル７５０ａをチューブ７６６を介して噴霧領域規制フード７６０に連通接続し、清浄フィルタ４０のフィルタ面のうち酸性ガス処理面Ｘの上半分に、添加剤供給装置７０の噴霧領域規制フード７６０をパッキン７６７を介して密着配置し、酸性ガス用添加剤Ｓａを噴霧する。このとき、噴霧ノズル７６４からの添加剤Ｓａの噴霧形状は通常は円形形状になるものであるが、噴霧ノズル７６４からの添加剤Ｓａの噴霧領域は噴霧領域規制フード７６０の矩形枠部７６２の範囲に規制された状態で噴霧される。
次いで、清浄フィルタ４０のフィルタ面のうち酸性ガス処理面Ｘの下半分に、添加剤供給装置７０の噴霧領域規制フード７６０をパッキン７６７を介して密着配置し、同様に、添加剤Ｓａの噴霧処理を行う。
この後、第２の添加剤ボトル７５０ｂをチューブ７６６を介して噴霧領域規制フード７６０に連通接続し、清浄フィルタ４０のフィルタ面のうち塩基性ガス処理面Ｙの上半分に、添加剤供給装置７０の噴霧領域規制フード７６０をパッキン７６７を介して密着配置し、塩基性ガス用添加剤Ｓｂを噴霧する。このとき、噴霧ノズル７６４からの添加剤Ｓｂの噴霧領域は噴霧領域規制フード７６０の矩形枠部７６２の範囲に規制された状態で噴霧される。
次いで、清浄フィルタ４０のフィルタ面のうち塩基性ガス処理面Ｙの下半分に、添加剤供給装置７０の噴霧領域規制フード７６０をパッキン７６７を介して密着配置し、同様に、添加剤Ｓｂの噴霧処理を行う。
最後に、第３の添加剤ボトル７５０ｃをチューブ７６６を介して噴霧領域規制フード７６０に連通接続し、清浄フィルタ４０のフィルタ面のうち酸性ガス処理面Ｘの上半分に、添加剤供給装置７０の噴霧領域規制フード７６０をパッキン７６７を介して密着配置し、微生物対応用添加剤Ｓｃを噴霧する。このとき、噴霧ノズル７６４からの添加剤Ｓｃの噴霧領域は噴霧領域規制フード７６０の矩形枠部７６２の範囲に規制された状態で噴霧される。
次いで、清浄フィルタ４０のフィルタ面のうち酸性ガス処理面Ｘの下半分、塩基性ガス処理面Ｙの上半分、下半分の順に、添加剤供給装置７０の噴霧領域規制フード７６０をパッキン７６７を介して密着配置し、同様に、添加剤Ｓｃの噴霧処理を行う。
この状態で、清浄フィルタ４０の酸性ガス処理面Ｘには酸性ガス用添加剤Ｓａが、清浄フィルタ４０の塩基性ガス処理面Ｙには塩基性ガス用添加剤Ｓｂが、Ｘ及びＹの全域には微生物対応用添加剤Ｓｃが噴霧される。
このように、添加剤Ｓを噴霧した清浄フィルタ４０の性能は回復されるので、エアダクト２１内に清浄フィルタ４０を戻せば、再び空気清浄装置２０の清浄フィルタ４０による清浄作用が良好に保たれる。
【００４０】
本実施の形態では、添加剤供給装置７０は、噴霧領域規制フード７６０を用いているが、これに限られるものではなく、例えば図２１（ａ）に示すように、添加剤ボトル７５０に噴霧ノズル７５１を設け、この噴霧ノズル７５１に噴霧領域規制ガイド７５２を付加するようにしてもよい。この噴霧領域規制ガイド７５２は、噴霧ノズル７５１から噴霧された添加剤Ｓの噴霧領域が矩形状に規制されるように、噴霧ノズル７５１から離間するにつれて拡開する中空の四角錐形状に形成されたものであり、噴霧領域規制フード７６０と略同様な作用を奏する。
また、本実施の形態では、添加剤ボトル７５０は、夫々の添加剤Ｓ毎に別個に設けられているが、これに限られるものではなく、例えば図２１（ｂ）に示すように、一つの添加剤容器７７０を複数の仕切り７７１，７７２にて仕切ることで、複数の添加剤収容室７８１，７８２，７８３を設け、夫々の添加剤収容室７８１〜７８３に対応する添加剤Ｓ（Ｓａ，Ｓｂ，Ｓｃ）を収容するようにし、この添加剤容器７７０の各収容室７８１〜７８３にチューブ７８４〜７８６を介して連通し、各チューブ７８４〜７８６には分割して接続される分割噴霧ノズル７８８を接続し、この分割噴霧ノズル７８８に噴霧領域規制ガイド７５２を付加したものである。
本例の場合には、清浄フィルタ４０のフィルタ面に対して分割噴霧ノズル７８８にて夫々の添加剤Ｓを別個に噴霧するようにすればよい。
尚、本例では、エアダクト２１から清浄フィルタ４０を離脱しているが、これに限られるものではなく、エアダクト２１から清浄フィルタ４０のフィルタ面を外部に露出させた状態で、分離型の添加剤供給装置７０にて添加剤Ｓを供給するようにしてもよい。
【００４１】
◎実施の形態７
図２２（ａ）（ｂ）は便器に実施の形態７に係る空気清浄装置を組み込んだ例を示す。
同図において、便器３００は、着座部を有する便器本体３０１と、この便器本体３０１の背面に設けられて洗浄水が貯蔵されるタンク３０２と、前記便器本体３０１の背面にて前記タンク３０２の横に隣接して設けられる空気清浄装置３２０とを備えている。
本実施の形態において、空気清浄装置３２０は、内部に空気流通路３２２が形成されたエアダクト３２１を有し、このエアダクト３２１の入口開口３２３、出口開口３２４に夫々ルーバーを設けると共に、エアダクト３２１の途中には清浄フィルタ３４０を着脱自在に装着し、エアダクト３２２内の吸引ファン３３０にて空気流通路３２２内に空気流を形成するようにしたものである。
そして、本実施の形態では、清浄フィルタ３４０は、便器３００の周囲環境空間の粉塵などを除去する粉塵除去フィルタ、汚物３１０からの発生臭気Ｕ、便器３００に残存する臭気、便器の周囲環境空間の臭気などのガスを除去するガス除去フィルタを含み、特に、ガス除去フィルタとしては例えば実施の形態１の再生カートリッジ構成のガス除去フィルタ４４と略同様な構成のものが使用されている。また、ガス除去フィルタとしては、屎尿等から発生するガスを活性炭、Ｔｅｎａｘ等の捕捉材で捕集するようにすれば、脱臭効果を発揮する点で好ましい。
本実施の形態によれば、便器３００において節水化を図ると、便器３００の周囲に汚物３１０からの発生臭気Ｕを含む各種の臭気が残存することになるが、本例の空気清浄装置３２０によって便器３００周囲の臭気は清浄フィルタ３４０のガス除去フィルタにて除去される。
また、本例では、清浄フィルタ３４０のガス除去フィルタは再生カートリッジとして構成されているため、実施の形態１と同様なフィルタ再生装置１１０（例えば加熱脱離装置１１１など）にて再生処理された後に再利用可能である。
【００４２】
◎実施の形態８
図２３は便器に実施の形態８に係る空気清浄装置を組み込んだ例を示す。
同図において、便器３００は、実施の形態７と同様に、着座部を有する便器本体３０１と、この便器本体３０１の背面に設けられて洗浄水が貯蔵される貯蔵されるタンク３０２と、前記便器本体３０１の背面にて前記タンク３０２の下部に隣接して設けられる空気清浄装置３２０とを備えている。
本例において、空気清浄装置３２０の基本的構成は、実施の形態７と略同様であるが、実施の形態７と異なり、複数の便器利用者に対して同時に健康診断を可能とした診断要素を付加したものである。尚、実施の形態７と同様な構成要素については同様な符号を付してここではその詳細な説明を省略する。
ここで、診断要素としては、図２３及び図２４（ａ）（ｂ）に示すように、エアダクト３２１の空気流通路３２２に複数のガス状物質捕集管３５０（具体的には３５１〜３５４）を配設し、これらのガス状物質捕集管３５０（３５１〜３５４）を切替バルブ３６１，３６２を介して切替選択可能とし、便器利用者Ａ〜Ｄのいずれかに対応したガス状物質捕集管３５０（例えば３５１）を選択することで、便器利用者（例えばＡ）から発生する臭気（ガス状物質）を捕集する方式が採用されている。
また、便器本体３０１の側部には、図２４（ａ）に示すように、便器利用者を選択する利用者選択スイッチ３６０が設けられており、便器利用者が自己認識のために前記利用者選択スイッチを操作すれば、この利用者選択スイッチ３６０の操作信号に応じて前記切替バルブ３６１，３６２が適宜切替作動するようになっている。
更に、ガス状物質捕集管３５０を通過したガス状物質や粉塵等は空気流通路３２２の下流側に配置された清浄フィルタ３４０にて有効に除去される。
尚、ガス状物質捕集管３５０の配設位置としては、ガス状物質を捕集可能であれば、エアダクト３２１内の空気流通路３２２に限られず、温水洗浄ノズル、便器３００の縁、便座部など適宜選定して差し支えない。
【００４３】
本実施の形態では、実施の形態７と同様に、清浄フィルタ３４０の例えばガス除去フィルタは再生カートリッジとして構成されているため、フィルタ再生装置１１０による再生処理にて再利用される。例えば捕集されたガスを加熱脱離などの処理で分離し、捕捉材としての活性炭などの再生を図ることが可能である。そしてまた、脱離ガスを分析し、屎尿中に含まれる生体ガスから便器使用者の健康情報を収集することも可能である。
更に、本実施の形態では、複数のガス状物質捕集管３５０は便器利用者毎に個別カートリッジとして設けられているので、例えば図２５（ｂ）に示すように、個別カートリッジとしてのガス状物質捕集管３５０（３５１〜３５４）にて便器利用者毎の発生ガス状物質を定期的に捕集し、ガスクロマトグラフ質量分析計（ＧＣ／ＭＳ）、イオンクロマトグラフ（ＩＣ）、高速液クロマトグラフ（ＨＰＬＣ）等の分析装置で精密分析を行い、発生物質の定性・定量分析を行うことが可能である。
このように、本実施の形態では、これらの分析情報を基に、便器利用者の排泄関連の健康情報を定期的に収集することができ、他者との違いや経時変化を明らかにし、既往研究成果より得られている情報との照合を行うことが可能である。これにより、便器利用者の健康状態も診断される。
例えば屎尿から発生するガス状物質のいずれかは特定の疾病と関係することが知られている。
・アンモニア：肝臓疾患
・硫化メチル：肝性昏睡
・トリメチルアミン（アミン類）：尿毒症
・アセトン（アルコール類）：Ｉ型糖尿病
よって、特定のガス状物質が極端に多いような場合には、それに関係する疾病が疑わしいことが容易に予測される。
このように、便器利用者が個々の健康診断と健康管理をすることができる。
【００４４】
また、本実施の形態では、便器利用者毎にガス状物質捕集管３５０を設けるようにしたが、これに限られず、例えば便器３００内に各種センサ（発生ガスの種別と量、排泄量、明度・色度・彩度など）を設け、各種センサにて発生物質の種別と濃度、排泄量、排泄物の色などの関わる情報をリアルタイムで収集し、収集したデータに基づいて便器利用者の健康診断資料として用いるようにしてもよい。例えば、便器３００内の制御装置のメモリに、収集情報が１）誰のもの、２）排泄時間、３）排泄量、４）色関連、５）その他について認識記録しておき、これを健康診断時に利用するようにすればよい。
このように、便器で屎尿に関わる情報をセンサで連続的に測定するようにすれば、長期にわたる健康状況を把握することができる点で好ましい。
【００４５】
◎実施の形態９
図２６は実施の形態９に係る空気清浄装置としてのマスクを示す。
一般に、マスクは、外気中の汚染物質を清浄して吸気を取り込む点、あるいは、呼気中の汚染物質を清浄して外部に放出する点で、広義の意味においては空気清浄装置の一例と言える。
本実施の形態に係るマスク４００は、清浄な外気を取り込み、呼気中の汚染物質を検査することで疾病診断が可能なものを提供するものであり、マスク本体４０１と、これを装着するための装着具４０２と、マスク本体４０１の鼻孔付近に設けられて吸気を清浄する吸気フィルタ４１０と、マスク本体４０１の口付近に設けられて呼気を清浄して放出する呼気フィルタ４２０とを有している。
本例において、マスク本体４０１は、利用者の顔面との間の隙間を高い精度で埋めることが可能なようにカップ型形状に構成され、顔面との気密性を確保するようになっている。
また、吸気フィルタ４１０は、図２６及び図２７（ａ）に示すように、外気側から順に粉塵除去フィルタ４１１、ガス除去フィルタ４１２を設置し、外気中汚染物質を除去するようになっている。
特に、本例では、ガス除去フィルタ４１２は活性炭等の捕捉材を保持した再生カートリッジとして構成されている。
【００４６】
また、マスク４００着用時の呼吸負荷を軽減するために、吸気フィルタ４１０の吸気通路中には吸入ファン４３０が設けられ、マスク着用者の呼吸量と同一の供給空気が強制的に導入され、マスク着用者の呼吸が平常時と略同様となるように調整されている。
一方、呼気フィルタ４２０は、図２６及び図２７（ｂ）に示すように、マスク本体４０１の外気側から呼気中の汚染物質を捕集する捕集フィルタ４２１、その内側に不織布フィルタ２２、更にその内側には外気が侵入することを防止する逆止弁４２３を設置したものである。
ここで、捕集フィルタ４２１は、活性炭、ゼネライト、ＤＮＰＨ（２，４−ジニトロフェニルヒドラジン）含浸のシリカゲル、不織布などで構成されており、マスク本体４０１に着脱自在に装着される再生カートリッジとして構成されている。
また、不織布フィルタ４２２は粉塵やある特定の汚染物質を予め除外するための薬液などが塗布されたものである。
更に、逆止弁４２３は外気が捕集フィルタ４２１に侵入しないように外気の逆流を止め、マスク利用者である呼気排出者に由来した成分だけが捕集フィルタ４２１に捕集されるようにしたものである。
【００４７】
次に、本実施の形態に係るマスクの作用について説明する。
本実施の形態によれば、マスク４００には吸気フィルタ４１０（粉塵除去フィルタ４１１，ガス除去フィルタ４１２）が設置されており、しかも、呼気フィルタ４２０の捕集フィルタ４２１部分には逆止弁４２３が設置されているため、外気成分が捕集フィルタ４２１を通過することはなく、捕集フィルタ４２１に捕集された成分はマスク利用者の呼気由来のものに限られる。
また、呼気成分はマスク利用者によって千差万別であり、その種類と濃度を推測するのは容易ではなく、なるべく多量の呼気を捕集フィルタ４２１に通過させ、呼気中汚染物質を捕捉するために長時間のマスク着用が望まれる。しかし、呼気中汚染物質の捕捉を行うための捕集フィルタ４２１を含む呼気フィルタ４２０による圧力損失が、マスク利用者の呼吸に負担をかけ、平常時に排出される呼気中汚染物質の測定が不可能となる事が懸念される。しかしながら、本実施の形態では、吸引ファン４３０にて強制吸気導入方式を採用したため、マスク使用者の呼吸に過大の負担がかかる事態は有効に回避されている。
つまり、本例では、マスク４００内へは鼻孔前に設けられた吸引ファン４３０により清浄空気が送られるため、マスク４００内部は常時正圧になっている。これにより、マスク利用者はマスク４００内に常時供給される清浄する空気を吸引するが、呼気中汚染物質は口の前に設置された捕集フィルタ４２１を通過して捕捉される。
ここで、捕集フィルタ４２１に捕捉された汚染物質がガス状物質の場合には、フィルタ再生装置による再生処理、例えば加熱脱離や溶媒抽出等の処理により、捕集フィルタ４２１から汚染物質を分離し、これをガスクロマトグラフ質量分析計（ＧＣ／ＭＳ）、ガスクロマトグラフ（ＧＣ）、高速液クロマトグラフ（ＨＰＬＣ）、イオンクロマトグラフ（ＩＣ）等の分析装置によって分析し、定性・定量することが可能である。
また、捕集フィルタ４２１に、捕集された汚染物質が細菌、真菌、ウィルスなどの微生物粒子の場合には、捕集フィルタ４２１から同物質を、洗浄等の作業で分離し、溶液発光、顕微鏡観察などにより、同定することが可能である。
これにより、マスク使用者の呼気から疾病、健康情報が取得される。
尚、吸気フィルタ４１０のガス除去フィルタ４１２を再生処理する際に、ガス除去フィルタ４１２に捕集されたガス状汚染物質を分析するようにすれば、呼吸を行っている環境中の空気汚染情報を取得することも可能である。
【実施例】
【００４８】
◎実施例１
本実施例は環境制御型の大型チェンバ（気積：４．９８［ｍ３］）内に空気清浄装置を設置し、空気清浄装置の上流と下流側の濃度測定により装置性能を求めた。チェンバ内はある一定の環境条件（温度：２８±１［℃］、相対湿度：５０±１［％］、換気回数：０．０３±０．００３［１／ｈ］）に制御し、常時清浄空気を供給した。
この結果を図２８（ａ）に示す。
また、このときの汚染物質除去率の算出は、図２８（ｂ）に示す。
チェンバ内における濃度実測値を除去率算出式に代入し、空気清浄装置のホルムアルデヒド除去を算出した。その結果、図２８（ａ）に示すように、ホルムアルデヒド除去率は初期値：７７．６［％］、一回目噴霧後：３０．５［％］、二回目噴霧後：５５．１［％］となった。
化学吸着剤１［ｇ］を噴霧することでホルムアルデヒド除去性能の高い回復が見られた。本装置では更に噴霧量を増やせば回復性が向上するものと思われる。
【符号の説明】
【００４９】
１…空気清浄装置，２…清浄装置本体，３…空気流通路，４…清浄フィルタ，５…粒子捕捉部材，６…ガス捕捉部材，７（７ａ〜７ｃ）…捕捉材，８…捕捉材保持部材，１０（１０ａ，１０ｂ）…捕捉材供給装置，１５…フィルタ再生装置
【図１】
2011055762.tif 000003
【図２】
2011055762.tif 000004
【図３】
2011055762.tif 000005
【図４】
2011055762.tif 000006
【図５】
2011055762.tif 000007
【図６】
2011055762.tif 000008
【図７】
2011055762.tif 000009
【図８】
2011055762.tif 000010
【図９】
2011055762.tif 000011
【図１０】
2011055762.tif 000012
【図１１】
2011055762.tif 000013
【図１２】
2011055762.tif 000014
【図１３】
2011055762.tif 000015
【図１４】
2011055762.tif 000016
【図１５】
2011055762.tif 000017
【図１６】
2011055762.tif 000018
【図１７】
2011055762.tif 000019
【図１８】
2011055762.tif 000020
【図１９】
2011055762.tif 000021
【図２０】
2011055762.tif 000022
【図２１】
2011055762.tif 000023
【図２２】
2011055762.tif 000024
【図２３】
2011055762.tif 000025
【図２４】
2011055762.tif 000026
【図２５】
2011055762.tif 000027
【図２６】
2011055762.tif 000028
【図２７】
2011055762.tif 000029
【図２８】
2011055762.tif 000030
【国際調査報告】
2011055762.tif 000031
2011055762.tif 000032
2011055762.tif 000033
2011055762.tif 000034